(57)【要約】【課題】ヒートポンプを搭載した衣類乾燥機にて吸熱器での着霜を防止し、圧縮手段での液圧縮を防止するとともに、乾燥時間の短縮と低消費電力を実現すること。【解決手段】乾燥室５をバイパスして空気が循環するバイパス循環風路２６と、通常循環風路１８とバイパス循環風路２６とを切替えるバイパス切替手段２７と、バイパス切替手段２７を制御する制御手段３７とを備えている。これにより、着霜する恐れがある条件では、バイパス循環風路２６が有効となるようにバイパス切替手段２７を切替え、乾燥室５をバイパスしてバイパス循環風路２６を通じて空気を循環させて循環空気の温度を急速に上昇させた後、通常循環風路１８が有効となるよう再度切替えることにより、着霜の発生を防止できる。【選択図】図１
2009034409.tif 000002
【特許請求の範囲】
【請求項１】
本体と、前記本体内に支持し衣類を乾燥する乾燥室と、圧縮手段、放熱器、減圧手段および吸熱器で構成されるヒートポンプユニットと、空気を循環させる送風手段と、前記ヒートポンプユニットと前記乾燥室を通じて空気が循環する通常循環風路と、前記乾燥室をバイパスして空気が循環するバイパス循環風路と、前記通常循環風路と前記バイパス循環風路とを切替えるバイパス切替手段と、前記バイパス切替手段を制御する制御手段とを備えた衣類乾燥機。
【請求項２】
吸熱器で蒸発する冷媒の温度を検出する蒸発温度検出手段を備え、制御手段は乾燥工程開始から所定時間経過後の前記蒸発温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替える請求項１記載の衣類乾燥機。
【請求項３】
圧縮手段が吐出する冷媒の温度を検出する吐出温度検出手段を備え、制御手段は乾燥工程開始から所定時間経過後の前記吐出温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替える請求項１記載の衣類乾燥機。
【請求項４】
圧縮手段が吸入する冷媒の温度を検出する吸入温度検出手段を備え、制御手段は乾燥工程開始から所定時間経過後の前記吸入温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替える請求項１記載の衣類乾燥機。
【請求項５】
放熱器で凝縮する冷媒の温度を検出する凝縮温度検出手段を備え、制御手段は乾燥工程開始から所定時間経過後の前記凝縮温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替える請求項１記載の衣類乾燥機。
【請求項６】
ヒートポンプユニットに流入する空気の温度を検出する流入空気温度検出手段を備え、制御手段は乾燥工程開始から所定時間経過後の前記流入空気温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替える請求項１記載の衣類乾燥機。
【請求項７】
ヒートポンプユニットから流出する空気の温度を検出する流出空気温度検出手段を備え、制御手段は乾燥工程開始から所定時間経過後の前記流出空気温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替える請求項１記載の衣類乾燥機。
【請求項８】
本体周囲の温度を検出する周囲温度検出手段を備え、制御手段は乾燥工程開始から所定時間経過後の前記周囲温度検出手段の検出温度が着霜閾値以下であると着霜条件と判定してバイパス循環風路が有効となるよう風路を切替え、切替え後所定時間経過後に通常循環風路が有効となるよう風路を切替える請求項１記載の衣類乾燥機。
【請求項９】
吸熱器で蒸発する冷媒の温度を検出する蒸発温度検出手段と、圧縮手段が吸入する冷媒の温度を検出する吸入温度検出手段とを備え、減圧手段は減圧量を調整可能に構成し、前記吸入温度検出手段の検出温度と前記蒸発温度検出手段の検出温度の差に基づいて減圧手段を制御する請求項１記載の衣類乾燥機。
【請求項１０】
圧縮手段が吐出する冷媒の温度を検出する吐出温度検出手段と、放熱器で凝縮する冷媒の温度を検出する凝縮温度検出手段とを備え、減圧手段は減圧量を調整可能に構成し、前記吐出温度検出手段の検出温度と前記凝縮温度検出手段の検出温度の差に基づいて減圧手段を制御する請求項１記載の衣類乾燥機。
【請求項１１】
減圧手段は、電動膨脹弁とした請求項１〜１０のいずれか１項に記載の衣類乾燥機。
【請求項１２】
乾燥室に収容した衣類の洗濯を可能にした請求項１〜１１のいずれか１項に記載の衣類乾燥機。
【発明の詳細な説明】
【技術分野】
【０００１】
本発明は、ヒートポンプサイクルを用いて衣類の乾燥を行う衣類乾燥機に関するものである。
【背景技術】
【０００２】
従来のドラム式衣類乾燥機は図２に示すような構成であった。以下、その構成について説明する。図２に示すように、外装ケース５１内に水平軸を中心軸として回転する回転ドラム５２が配置してあり、回転ドラム５２の前面の開口は、扉５３で開閉されるようにしてある。外装ケース５１内には、回転ドラム５２の内部に設定される乾燥室５４を含む風路５５が構成してあり、風路５５に循環用ファン５６と通流する空気中の糸くずを除去するリントフィルタ５７とを設けている。風路５５内に設置した吸熱器５８、放熱器５９と、風路５５外に設置した圧縮手段６０、減圧手段６１でヒートポンプサイクルを構成している。吸熱器５８で除湿した除湿水を排水するための除湿水排水路６２を設けている。
【０００３】
上記構成において、衣類の乾燥工程時は、循環用ファン５６を動作させ、吸熱器５８、放熱器５９、乾燥室５４の順に空気が流れるよう風路５５にて空気を循環させる。ここで圧縮手段６０を動作させ、乾燥室５４から流入した高湿の空気を吸熱器５８にて冷却除湿し、その後放熱器５９で空気を加熱し、高温低湿の空気を乾燥室５４に戻し、衣類の乾燥を促進させる。除湿水は除湿水排水通路６２を通じて機外に排出される。
【特許文献１】特許第３３３０７８９号公報
【発明の開示】
【発明が解決しようとする課題】
【０００４】
しかしながら、上記従来の構成では、冬期の乾燥運転において、回転ドラム５２や風路５５や乾燥前の濡れた衣類の温度が低くて、吸熱器５８に流入する空気の温度が低く、吸熱器５８での冷媒の蒸発温度が０℃以下になることがしばしば発生する。またリントフィルタ５７の清掃を長期間使用者が怠り糸くずが多量に付着すると風量が低下し、蒸発温度が大きく低下する。これらのような冬期や低風量時では吸熱器５８に着霜し、吸熱器５８での熱交換が阻害されて冷媒が十分に吸熱できず、冷媒は完全に蒸発せずに液混じりで吸熱器５８から流出する。そして、圧縮手段６０の液圧縮が発生し、圧縮手段６０が短時間で故障する恐れがあるという課題があった。また、循環する空気の温度上昇が遅く、乾燥時間が長くなるとともに消費電力も増える課題もあった。
【０００５】
本発明は、このような従来の構成の課題を解決しようとするもので、吸熱器に着霜することを防止して、圧縮手段での液圧縮を防止するとともに、乾燥時間の短縮と低消費電力を実現することを目的とする。
【課題を解決するための手段】
【０００６】
上記従来の課題を解決するために、本発明の衣類乾燥機は、乾燥室をバイパスして空気が循環するバイパス循環風路と、通常循環風路とバイパス循環風路とを切替えるバイパス切替手段と、バイパス切替手段を制御する制御手段とを備えている。
【０００７】
吸熱器で着霜する恐れがある条件では、バイパス循環風路が有効となるようにバイパス切替手段を切替え、乾燥室をバイパスしてバイパス循環風路を通じて空気を循環させて循環空気の温度と放熱器での凝縮温度と吸熱器での蒸発温度を急速に上昇させた後、通常循環風路が有効となるよう再度切替えることにより、吸熱器での蒸発温度を０℃以上に維持して吸熱器での着霜の発生を防止できる。
【発明の効果】
【０００８】
本発明の衣類乾燥機は、圧縮手段での液圧縮を防止して圧縮手段の耐久性能の悪化を防止するとともに乾燥時間の短縮と低消費電力を実現することができる。
【発明を実施するための最良の形態】
【０００９】
第１の発明は、本体と、前記本体内に支持し衣類を乾燥する乾燥室と、圧縮手段、放熱器、減圧手段および吸熱器で構成されるヒートポンプユニットと、空気を循環させる送風手段と、前記ヒートポンプユニットと前記乾燥室を通じて空気が循環する通常循環風路と、前記乾燥室をバイパスして空気が循環するバイパス循環風路と、前記通常循環風路と前記バイパス循環風路とを切替えるバイパス切替手段と、前記バイパス切替手段を制御する制御手段とを備えたことにより、吸熱器で着霜する恐れがある条件では、乾燥室をバイパスしてバイパス循環風路を通じて空気を循環させて循環空気の温度と放熱器での凝縮温度と吸熱器での蒸発温度を急速に上昇させた後、通常循環風路側に再度切替えることにより、吸熱器での蒸発温度を０℃以上に維持して吸熱器での着霜の発生を防止しながら乾燥工程を進行させ、圧縮手段での液圧縮防止と、乾燥時間の短縮と、低消費電力を実現できる。
【００１０】
第２の発明は、特に、第１の発明において、吸熱器で蒸発する冷媒の温度を検出する蒸発温度検出手段を備え、制御手段は乾燥工程開始から所定時間経過後の前記蒸発温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替えることにより、最も精度良く着霜条件か否かを判定でき、吸熱器での着霜を確実に防止できる。
【００１１】
第３の発明は、特に、第１の発明において、圧縮手段が吐出する冷媒の温度を検出する吐出温度検出手段を備え、制御手段は乾燥工程開始から所定時間経過後の前記吐出温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替えることにより、精度良く着霜条件か否かを判定でき、吸熱器での着霜を防止できる。
【００１２】
第４の発明は、特に、第１の発明において、圧縮手段が吸入する冷媒の温度を検出する吸入温度検出手段を備え、制御手段は乾燥工程開始から所定時間経過後の前記吸入温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替えることにより、精度良く着霜条件か否かを判定でき、吸熱器での着霜を防止できる。
【００１３】
第５の発明は、特に、第１の発明において、放熱器で凝縮する冷媒の温度を検出する凝縮温度検出手段を備え、制御手段は乾燥工程開始から所定時間経過後の前記凝縮温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替えることにより、精度良く着霜条件か否かを判定でき、吸熱器での着霜を防止できる。
【００１４】
第６の発明は、特に、第１の発明において、ヒートポンプユニットに流入する空気の温度を検出する流入空気温度検出手段を備え、制御手段は乾燥工程開始から所定時間経過後の前記流入空気温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替えることにより、精度良く着霜条件か否かを判定でき、吸熱器での着霜を防止できる。
【００１５】
第７の発明は、特に、第１の発明において、ヒートポンプユニットから流出する空気の温度を検出する流出空気温度検出手段を備え、制御手段は乾燥工程開始から所定時間経過後の前記流出空気温度検出手段の検出温度が着霜閾値以下であると着霜条件と判定してバイパス循環風路が有効となるよう風路を切替え、切替え後所定時間経過後もしくは検出温度が復帰閾値を超えると通常循環風路が有効となるよう風路を切替えることにより、精度良く着霜条件か否かを判定でき、吸熱器での着霜を防止できる。
【００１６】
第８の発明は、特に、第１の発明において、本体周囲の温度を検出する周囲温度検出手段を備え、制御手段は乾燥工程開始から所定時間経過後の前記周囲温度検出手段の検出温度が着霜閾値以下であると着霜条件と判定してバイパス循環風路が有効となるよう風路を切替え、切替え後所定時間経過後に通常循環風路が有効となるよう風路を切替えることにより、精度良く着霜条件か否かを判定でき、吸熱器での着霜を防止できる。
【００１７】
第９の発明は、特に、第１の発明において、吸熱器で蒸発する冷媒の温度を検出する蒸発温度検出手段と、圧縮手段が吸入する冷媒の温度を検出する吸入温度検出手段とを備え、減圧手段は減圧量を調整可能に構成し、吸入温度検出手段の検出温度と蒸発温度検出手段の検出温度の差に基づいて減圧手段を制御することにより、圧縮手段の吸入過熱度を適度に確保し、圧縮手段での液圧縮をさらに確実に防止できる。
【００１８】
第１０の発明は、特に、第１の発明において、圧縮手段が吐出する冷媒の温度を検出する吐出温度検出手段と、放熱器で凝縮する冷媒の温度を検出する凝縮温度検出手段とを備え、減圧手段は減圧量を調整可能に構成し、吐出温度検出手段の検出温度と凝縮温度検出手段の検出温度の差に基づいて減圧手段を制御することにより、圧縮手段の吐出過熱度を適度に確保し、圧縮手段での液圧縮をさらに確実に防止できる。
【００１９】
第１１の発明は、特に、第１〜１０の発明において、減圧手段は、電動膨脹弁としていることにより、減圧度を連続的に可変でき、幅広い運転状況にて圧縮手段の吸入過熱度を適度に確保し、圧縮手段の液圧縮をより確実に防止できる。
【００２０】
第１２の発明は、特に、第１〜１１のいずれか１つの発明において、乾燥室に収容した衣類の洗濯を可能にしたことにより、衣類の洗濯から乾燥までを同一槽内で一貫して行うことができ、単一筐体で省スペースの衣類洗濯乾燥機を提供できる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における衣類乾燥機の全体断面図である。
【００２３】
本体１の内部には、円筒状の外槽２を設け、外槽２の内部には、衣類（図示せず）を収容する円筒状の内槽３を回転可能に設け、モータ４により回転駆動される。内槽３は洗濯工程においては、衣類の洗濯室となり、乾燥工程においては、衣類の乾燥室５となる。本体１の前面には衣類を出し入れする開口部６と、これを開閉する扉７が設けられている。本体１の下部に洗濯水や除湿水を排出する排水口８を設け、洗濯水排水経路９に排水弁１０を設けている。乾燥室５を通じて空気を循環させる送風手段１１を設け、空気中のほこりや糸くずなどの異物を除去する取り外し可能に構成したリントフィルタ１２を設けている。
【００２４】
圧縮手段１３、放熱器１４、減圧手段である電動膨張弁１５、吸熱器１６を環状に管で接続してヒートポンプユニット１７を構成し、吸熱器１６が空気の通流方向の上流側になるよう放熱器１４と吸熱器１６を配置している。また圧縮手段１３が吐出する冷媒の温度を検出する吐出温度検出手段１９、圧縮手段１３が吸入する冷媒の温度を検出する吸入温度検出手段２０を設けている。さらに放熱器１４で凝縮する冷媒の温度を検出する凝縮温度検出手段２１、吸熱器１６で蒸発する冷媒の温度を検出する蒸発温度検出手段２２を設けている。
【００２５】
乾燥室５と吸熱器１６の間の通常循環風路１８に循環空気の一部を排気する排気口２３と外気が流入する流入口２４とを設け、流入口２４には外気流入制御弁２５を設けている。排気口２３と吸気口２４を通流する空気はリントフィルタ１２を通過し、異物が取り除かれる。また、空気が乾燥室５をバイパスして吸熱器１６と放熱器１４を循環するバイパス循環風路２６を設け、通常循環風路１８とバイパス循環風路２６を切替えるバイパス切替手段２７を設けている。ヒートポンプユニット１７の吸熱器１６に流入する空気の温度を検出する流入空気温度検出手段２８と、ヒートポンプユニット１７の放熱器から流出した空気の温度を検出する流出空気温度検出手段２９を設けている。また本体１周囲の温度を検出する周囲温度検出手段３０と外槽２の下部において洗濯水の温度を検出する水温検出手段３１を設けている。
【００２６】
吸熱器１６の下部には、吸熱器１６で発生した除湿水を一時的に貯める除湿水容器３２が設けられており、除湿水容器３２に貯まった水は排水ポンプ３３の動作により排水口８を経て本体１外へと排出される。除湿水排水経路３４は排水弁１０の下流にて洗濯水排水経路９と合流している。除湿水容器３２の満水を検出する水位検出手段３５を設けている。
【００２７】
本体の前面上部に操作手段３６を配置しており、操作手段３６の操作や、吐出温度検出手段１９、吸入温度検出手段２０、凝縮温度検出手段２１、蒸発温度検出手段２２、流入空気温度検出手段２８、流出空気温度検出手段２９、周囲温度検出手段３０、水温検出手段３１、水位検出手段３５の情報が制御手段３７に入力され、制御手段３７はモータ４、排水弁１０、送風手段１１、圧縮手段１３、電動膨張弁１５、外気流入制御弁２５、バイパス切替手段２７、排水ポンプ３３を制御して洗濯、脱水、乾燥の各工程を制御する。
【００２８】
以上のような構成において、動作、作用について説明する。洗濯工程では、排水弁１０を閉じた状態で給水弁（図示せず）を開弁して給水経路（図示せず）を通して外槽２内に所定の水位に達するまで給水を行い、モータ４により衣類と洗浄水の入った内槽３を回転させて衣類の洗濯を行う。また、洗濯後の濯ぎ工程でも、洗濯運転と同様に外槽２内に給水を行い、内槽３を回転させて衣類の濯ぎを行う。脱水工程では、排水弁１０を開いて機外へ水を排水した後、モータ４により衣類の入った内槽３を高速回転して脱水する。
【００２９】
乾燥工程が開始されると外気流入制御弁２５を閉弁して送風手段１１を動作させ、通常循環風路１８が有効となるよう、図１中の実線位置にバイパス切替手段２７を設定し、図１中の実線矢印のように、通常循環風路１８を通じて空気を循環させる。また圧縮手段１３を動作させ、電動膨張弁１５を所定開度に設定してヒートポンプサイクルを機能させる。吸熱器１６にて低温低圧の気液混合の冷媒は乾燥室５より出た多湿の空気より顕熱および潜熱を吸熱して蒸発し、低圧の過熱状態のガス状冷媒となる。圧縮手段１３が吸入した冷媒は圧縮されて高温高圧のガス状冷媒となり、放熱器１４にて空気に放熱して凝縮し、高圧の液状冷媒となる。そして電動膨張弁１５にて減圧され、再び吸熱器１６に流入する。
【００３０】
内槽３はモータ４により回転駆動されて衣類は上下に攪拌され、循環空気が衣類の隙間を通るときに水分を奪い、多湿状態で外槽２より出て通常循環風路１８を通流して送風手段１１に吸引され、吸熱器１６に供給される。吸熱器１６において空気を冷却して結露させ、空気から除湿する。この空気は放熱器１４において加熱されて高温低湿の温風となり、通常循環風路１８を通流して内槽３に再び流入し、衣類の乾燥を促進する。
【００３１】
吸熱器１６で発生した除湿水は、除湿水容器３２に貯まり、水位検出手段３５が所定水位に達したことを検知すると排水ポンプ３３を所定時間動作させて本体１外へと排出される。乾燥室５を通過した循環空気には糸くずが混入しているが、リントフィルタ１２で捕捉される。上記動作により、衣類の乾燥が進行する。
【００３２】
ここで、使用者がリントフィルタ１２の清掃を長期間怠っていると循環空気の風量が低下してしまう。このような低風量時や、冬期の乾燥工程では吸熱器１６での冷媒の蒸発温度が低下し、吸熱器１６が着霜する恐れがある。これを防止するために、制御手段３７は乾燥工程開始から所定時間（例えば５分）経過後の蒸発温度検出手段２２の検出温度が着霜閾値（例えば０℃）以下であると着霜条件と判定して、バイパス循環風路２６が有効となるよう、図１中の破線位置にバイパス切替手段２７を切替え、図１中の破線矢印のように、バイパス循環風路２６、吸熱器１６、放熱器１４を通じて空気を循環させる。放熱器１４から流出した空気は乾燥室５をバイパスするので乾燥室５で衣類に熱を奪われることが無く吸熱器１６に流入することにより、循環空気の温度は速やかに上昇し、それにつられて凝縮温度や蒸発温度も速やかに上昇する。
【００３３】
バイパス循環風路２６が有効になるように切替えた後所定時間（例えば２０分）経過後もしくは蒸発温度検出手段２２の検出温度が復帰閾値（例えば１０℃）を超えると通常循環風路１８側が有効となるようにバイパス切替手段２７を再び切替える。循環空気の温度、凝縮温度および蒸発温度は十分に高くなっているので、冷えた乾燥室５を通流しても、蒸発温度が０℃以下になることは無く、吸熱器１６での着霜は防止される。
【００３４】
循環空気の温度と凝縮温度と蒸発温度がさらに上昇し、凝縮温度検出手段２１の検出する凝縮温度が所定温度に達すると、外気流入制御弁２５を開弁して循環空気の一部を排気口２３より排気するとともに外気を流入口２４より吸引することにより、圧縮手段１３への入力に相当するエンタルピを循環空気から放熱し、凝縮圧力の過昇を招くことなく、安全に圧縮手段１３を運転できる。そして、凝縮温度検出手段２１の検出温度にて圧縮手段１３の能力をフィードバック制御し、凝縮温度を所定温度に維持する。また吸入温度検出手段２０の検出温度と蒸発温度検出手段２２の検出温度との差、すなわち吸入過熱度が所定値になるよう電動膨張弁１５の弁開度を制御し、圧縮手段１３の液圧縮を防止する。そして、流入空気温度検出手段２８が乾燥室５を通過した循環空気の温度を検出し、検出温度が所定温度（例えば６０℃）になると乾燥を終了する。
【００３５】
以上説明したように、吸熱器１６で着霜する恐れがある条件では、バイパス循環風路２７が有効となるようにバイパス切替手段２７を切替え、乾燥室５をバイパスして空気を循環させて循環空気の温度と放熱器１４での凝縮温度と吸熱器１６での蒸発温度を急速に上昇させた後、通常循環風路１８が有効となるよう再度切替えることにより、吸熱器１６での蒸発温度を０℃以上に維持して吸熱器１６での着霜の発生を防止できる。そして、圧縮手段１３での液圧縮を防止して圧縮手段１３の耐久性の悪化を防止するとともに乾燥時間の短縮と低消費電力を実現することができる。
【００３６】
また、着霜条件か否かの判定を蒸発温度検出手段２２の検出温度を用いて行うので、最も確実に着霜条件を判定できる。
【００３７】
また、減圧手段１５は、電動膨張弁１５としたことより、減圧度を連続的に可変でき、幅広い運転状況にて圧縮手段１３の吸入過熱度を適度に確保し、圧縮手段１３の液圧縮をより確実に防止できる。
【００３８】
また、吸入温度検出手段２０の検出温度と蒸発温度検出手段２２の検出温度との差、すなわち吸入過熱度が所定値になるよう電動膨張弁１５の弁開度を制御することにより、圧縮手段１３の液圧縮をより確実に防止できる。
【００３９】
また、乾燥室５に収容した衣類の洗濯を可能にしたことにより、衣類の洗濯から乾燥までを同一槽内で一貫して行うことができ、単一筐体で省スペースの衣類洗濯乾燥機を提供できる。
【００４０】
なお、上記実施の形態ではバイパス循環風路２６をリントフィルタ１２の下流側と連通しており、吸熱器１６の着霜を防止するのに最も効果的であるが、バイパス循環風路２６をリントフィルタ１２の上流側と連通しても乾燥室５をバイパスできるので、リントフィルタ１２に糸くずが大量に付着していない状態であれば、吸熱器１６の着霜を防止することができる。また、バイパス切替手段２７については、放熱器１４において加熱された高温低湿の温風すべてを通常循環風路１８もしくはバイパス循環風路２６のどちらか一方に通過させる必要はなく、前記温風の一部をバイパス循環風路２６へ、残りの温風を通常循環風路１８へ通過させるようにバイパス切替手段２７を制御してもよい。
【００４１】
なお、上記実施の形態では蒸発温度検出手段２２の検出温度に基づいて着霜条件を判定し、バイパス切替手段２７を制御する方法で説明した。蒸発温度で着霜条件を判定する方法が最も精度が良いが、蒸発温度の代わりに吐出温度検出手段１９、吸入温度検出手段２０、凝縮温度検出手段２１、流入空気温度検出手段２８、流出空気温度検出手段２９または周囲温度検出手段３０の検出温度を用いて上記実施の形態と同様に制御することもできる。
【００４２】
なお、上記実施の形態では、電動膨張弁１５を減圧手段としたが、複数のキャピラリーチューブと切替弁にて減圧手段を構成し、減圧量を可変させてもよい。
【００４３】
なお、上記実施の形態では、吸入温度検出手段２０の検出温度と蒸発温度検出手段２２の検出温度との差、すなわち吸入過熱度が所定値になるよう電動膨張弁１５の弁開度を制御したが、吐出温度検出手段１９の検出温度と凝縮温度検出手段２１の検出温度の差、すなわち吐出過熱度の情報を用いて同様の制御を行うこともできる。
【００４４】
なお、凝縮温度検出手段２１や蒸発温度検出手段２２の検出温度に基づいて各種の制御を行っているが、凝縮圧力検出手段や蒸発圧力検出手段を設け、それらの検出圧力に基づいて各種の制御を行うこともできる。
【００４５】
なお、各実施の形態では、洗濯から乾燥までを同一の槽内において自動で行う洗濯機能付の衣類乾燥機にヒートポンプユニット１７を搭載したときの例について述べているが、これに限定されるものではなく、乾燥のみを行う衣類乾燥機であっても同様の効果が得られる。
【産業上の利用可能性】
【００４６】
以上のように、本発明にかかる衣類乾燥機は、冬期や低風量時の乾燥工程でも吸熱器での着霜発生を防止できるので、ヒートポンプを用いたあらゆる衣類乾燥機に対して本発明を適用できる。
【図面の簡単な説明】
【００４７】
【図１】本発明の実施の形態１を示す衣類乾燥機の全体断面図
【図２】従来の衣類乾燥機の断面図
【符号の説明】
【００４８】
１  本体
５  乾燥室
１１  送風手段
１３  圧縮手段
１４  放熱器
１５  電動膨張弁（減圧手段）
１６  吸熱器
１７  ヒートポンプユニット
１８  通常循環風路
１９  吐出温度検出手段
２０  吸入温度検出手段
２１  凝縮温度検出手段
２２  蒸発温度検出手段
２６  バイパス循環風路
２７  バイパス切替手段
２８  流入空気温度検出手段
２９  流出空気温度検出手段
３０  周囲温度検出手段
３７  制御手段
【図１】
2009034409.tif 000003
【図２】
2009034409.tif 000004